(57)【要約】【課題】  対角線上で対向する対の隅部を結ばないで使用する場合でも、持ち運びの際に被包装物が落ちてしまうのを防止できる風呂敷を提供すること。【解決手段】  略四角形に形成される風呂敷Ｆは、一方の対角線ＤＬ１上で対向する対の隅部である第一隅部対３に、相互に係止可能な係止部と被係止部としてのボタン１１とボタン穴１５とを備え、他方の対角線ＤＬ２上で対向する対の隅部である第二隅部対５にも、相互に係止可能な係止部と被係止部としてのボタン１１´とボタン穴１５´とを備える。ボタン穴１５とボタン穴１５´とはそれぞれ、ボタン１１／１１´との係止位置を変更可能に複数設けられる。【選択図】  図１
0003204487.tif 000002
【実用新案登録請求の範囲】
【請求項１】
略四角形の風呂敷であって、一方の対角線上で対向する対の隅部である第一隅部対に、相互に係止可能な係止部と被係止部とが設けられることを特徴とする風呂敷。
【請求項２】
他方の対角線上で対向する対の隅部である第二隅部対に、相互に係止可能な係止部と被係止部とが設けられることを特徴とする請求項１に記載の風呂敷。
【請求項３】
被包装物の大きさに合わせて係止位置を変更可能に、前記係止部または前記被係止部の少なくとも一方が、前記対角線に略沿って複数設けられることを特徴とする請求項１に記載する風呂敷。
【請求項４】
被包装物の大きさに合わせて係止位置を変更可能に、前記第一隅部対と前期第二隅部対のそれぞれにおいて、前記係止部または前記被係止部の少なくとも一方が、前記対角線に略沿って複数設けられることを特徴とする請求項２に記載する風呂敷。
【請求項５】
前記第一隅部対と前記第二隅部対とにおける、前記係止部と前記被係止部との係合状態で上側に来る方の隅部が、相互に外形形状を異ならせることを特徴とする請求項２または請求項４のいずれかに記載する風呂敷。
【請求項６】
前記係止部が突出部の無い平板形状のボタンであり、前記被係止部がボタン穴であることを特徴とする請求項１乃至請求項５のいずれかに記載する風呂敷。
【考案の詳細な説明】
【技術分野】
【０００１】
本考案は風呂敷に関する。
【背景技術】
【０００２】
風呂敷は平面的なものから一升瓶まで、さまざまな形の物を包むことができる自由度があり便利なものとして古くから親しまれてきた。基本的には、略四角形の風呂敷の対角線上で対向する対の隅部同士を結んで被包装物を包んで使用することが多いが、包まれる物（被包装物）の形や重さ、または普段使いかお届け物用か等の状況により、使い方はさまざまであり、包み上がり状態で内側に位置する方の対の隅部は結ばずに、外側に位置する方の対の隅部のみを結ぶ使い方や、両方の対の隅部のどちらも結ばずに、被包装物を包むだけという使い方もある。全く結び目を作らない後者の包み方は、格式の高い使い方として、お届け物の際等にしばしば使用されている。
【０００３】
しかし、内側に位置する方の隅部のみを結ばない場合、または、内側と外側の両方の対の隅部のどちらも結ばない場合には、持ち運びの最中に包装がほどけて、被包装物が外に出たり、落ちてしまう虞があるという不便があった。
【考案の概要】
【考案が解決しようとする課題】
【０００４】
そこで本考案は、対角線上で対向する対の隅部を結ばないで使用する場合でも、持ち運びの際に被包装物が落ちてしまうのを防止できる風呂敷を提供することを目的とする。
【課題を解決するための手段】
【０００５】
本考案に係る風呂敷は、略四角形の風呂敷であって、一方の対角線上で対向する対の隅部である第一隅部対に、相互に係止可能な係止部と被係止部とが設けられることを特徴とする。
【０００６】
このように構成された風呂敷によれば、係止部と被係止部を備えた第一隅部対で先に被包装物を包み、その隅部同士を結ばずに係止部と被係止部を係合させた後、他方の対角線上で対向する対の隅部を結んで被包装物を包む場合でも、包み上がり状態で内側に位置する第一隅部対側では、係止部と被係止部との係合により、対の隅部が相互に固定されて持ち運び中にほどけるということがなく、被包装物が落ちてしまう心配はない。
【０００７】
上記の風呂敷においては、他方の対角線上で対向する対の隅部である第二隅部対にも、相互に係止可能な係止部と被係止部とが設けられることが望ましい。この構成によれば、対角線上で対向する第一隅部対と第二隅部対のどちらも結ばない包み方をする場合にも、第一隅部対と第二隅部対の両方において、それぞれの係止部と被係止部とを係合させることにより、第一隅部対の隅部同士および第二隅部対の隅部同士がそれぞれ相互に固定されてほどける心配なしに、大切なお届け物をするのにふさわしい態様で、被包装物を持ち運びすることができる。
【０００８】
本考案に係る風呂敷においては、上述の係止部または被係止部の少なくとも一方が、対角線に略沿って複数設けられることが望ましい。これによれば、被包装物の大きさに合わせて係止部と被係止部との係止位置を変更・調節することができる。
【０００９】
上述した風呂敷において、係止部を突出部のない平板形状のボタンとし、被係止部をボタン穴とすれば、包み上がり状態で外側から押されたような場合にも、突出部によって被包装物を傷つけたり、跡を残す心配が少ない。また、隅部同士を結ぶ場合と異なり、片手がふさがっているような場合でも、もう一方の手だけでボタンとボタン穴の係合を容易に行うことができる。
【００１０】
また、上述した風呂敷において、第一隅部対と第二隅部対とにおける、係止部と被係止部との係合状態で上側に来る方の隅部が、相互に外形形状を異ならせるように構成されていれば、第一隅部対と第二隅部対との包む順番を変えることにより包み上がり状態の表情を変えることができて面白い。
【図面の簡単な説明】
【００１１】
【図１】本実施形態の風呂敷を示す平面図であり、（Ａ）はおもて面を、（Ｂ）は裏面を示す。
【図２】本実施形態の風呂敷で被包装物を包む態様を示す図である。
【図３】本実施形態の風呂敷で被包装物を包む別の態様を示す図である。
【図４】本実施形態の風呂敷で被包装物を包む別の態様を示す図である。
【図５】本考案の別の実施形態の風呂敷で被包装物を包む態様を示す図である。
【考案を実施するための形態】
【００１２】
以下に本考案の望ましい実施形態を図面に基づいて説明する。
【００１３】
図１に示す本考案に係る風呂敷Ｆは、一辺を約７０ｃｍとする略四角形状に形成されるものである。詳しくは、本実施形態の風呂敷Ｆは、４隅のうちの３つの隅部３Ａ，３Ｂ，５Ａが角を取って丸めた円弧状に形成され、残りの一つの隅部５Ｂが略直角をなす形状に形成された略四角形としている。風呂敷Ｆは、一方の対角線ＤＬ１上で対向する対の隅部３Ａ，３Ｂ（第一隅部対３）に、相互に係止可能な係止部と被係止部としてのボタン１１とボタン穴１５と、を備える。
【００１４】
係止部としてのボタン１１は、第一隅部対３における隅部３Ａにおいて、風呂敷Ｆの略対角線ＤＬ１上に配置される。本実施形態では、ボタン１１は、風呂敷Ｆのおもて面における隅部３Ａの縁から約１０ｃｍ離れた位置に、縫い糸により縫い付けられている。本実施形態のボタン１１は、風呂敷Ｆが被包装物Ｔを包んだ状態で、ボタン１１が、外側から押圧されて被包装物Ｔを傷付けたり、ボタンの跡をつけたりしないように、ボタンの裏側に突出部のついていない平板形状のものが使用されている。
【００１５】
被係止部としてのボタン穴１５は、隅部３Ａと対角線ＤＬ１上で対向する隅部３Ｂにおいて、略対角線ＤＬ１上に配置される。本実施形態では、ボタン穴１５は、長さ方向を対角線ＤＬ１に沿わせる態様で、対角線ＤＬ１に略沿って並ぶように複数（実施形態では３個）配置されている。詳しくは、最も外側（最も隅部３Ｂの縁の近く）に配置されるボタン穴１５Ｓは、隅部３Ｂの縁から約１５ｃｍ離れた位置に設けられている。このボタン穴１５Ｓと、真ん中のボタン穴１５Ｍと、最も内側（最も隅部３Ｂの縁から離れた位置）に配置されるボタン穴１５Ｎとは、ボタン穴間の間隔（ボタン穴の長さ方向の中心間の間隔）が約４ｃｍとなる態様で、対角線ＤＬ１に略沿って並ぶように配置されている。
【００１６】
また、実施形態の風呂敷Ｆは、風呂敷Ｆの他方の対角線ＤＬ２上で対向する対の隅部５Ａ，５Ｂ（第二隅部対５）にも、相互に係合可能な係止部と被係止部としてのボタン１１´とボタン穴１５´とを備える。係止部としてのボタン１１´は、第二隅部対５における隅部５Ａにおいて、略対角線ＤＬ２上に配置される。隅部３Ａに配置されるボタン１１と同様に、ボタン１１´は、風呂敷Ｆのおもて面における隅部５Ａの縁から約１０ｃｍ離れた位置に、縫い糸により縫い付けられている。このボタン１１´も、隅部３Ａに配置されるボタン１１と同じく、裏側に突出部のついていない平板形状のものが使用されている。
【００１７】
被係止部としてのボタン穴１５´は、隅部５Ａと対角線ＤＬ２上で対向する隅部５Ｂにおいて、略対角線ＤＬ２上に配置される。隅部３Ｂに配置されるボタン穴１５と同様に、ボタン穴１５´は、長さ方向を対角線ＤＬ２に沿わせる態様で、対角線ＤＬ２に略沿って複数（実施形態では３個）配置されている。詳しくは、最も外側（最も隅部５Ｂの縁の近く）に配置されるボタン穴１５Ｓ´は、隅部５Ｂの縁から約１０ｃｍ離れた場所に設けられている。このボタン穴１５Ｓ´と、真ん中のボタン穴１５Ｍ´と、最も内側（最も隅部５Ｂの縁から離れた位置）に配置されるボタン穴１５Ｎ´とは、ボタン穴間の間隔（ボタン穴の長さ方向の中心間の間隔）が４ｃｍとなる態様で、対角線ＤＬ２に略沿って並ぶように配置されている。本実施形態では、第二隅部対５におけるボタン穴１５Ｓ´と隅部５Ｂの縁との間の離隔距離（約１０ｃｍ）と、第一隅部対３における、ボタン穴１５Ｓと隅部３Ｂの縁との間の離隔距離（約１５ｃｍ）との違いは、例えば、Ａ４サイズの被包装物Ｔを包む場合を想定して、その縦横の寸法の違いを考慮して設けられたものである。
【００１８】
上述した風呂敷Ｆを用いて被包装物Ｔを包む場合には、図２に示すように、被包装物Ｔを風呂敷Ｆの裏面の中央部位に置き、第一隅部対３の対向する隅部３Ａと３Ｂとを接近させて、ボタン１１とボタン穴１５とを係合させる。この時、複数設けられたボタン穴１５のうち、被包装物Ｔの大きさに合う位置のボタン穴１５を使用する。図２は、最も外側のボタン穴１５Ｓを使用した場合を示している。次に、第二隅部対５の隅部５Ａと５Ｂとを接近させて、隅部５Ａのボタン１１´と隅部５Ｂのボタン穴１５´とを係合させる。この時にも、複数設けられたボタン穴１５´のうち、被包装物Ｔの大きさに合う位置のボタン穴１５´を使用する。図２は、最も外側のボタン穴１５Ｓ´を使用した場合を示している。
【００１９】
図４は、被包装物Ｔより小さな被包装物ＳＴを包む場合を示している。図例の小さな被包装物ＳＴを包む場合には、第一隅部対３の対向する隅部３Ａと３Ｂとを係合させるのに、最も内側のボタン穴１５Ｎを使用するのが最も適合する。また、次に第二隅部対５の対向する隅部５Ａと５Ｂとを係合させる際にも、最も内側のボタン穴１５Ｎ´を使用するのが最も適合する。
【００２０】
図３は、第一隅部対３と第二隅部対５の包む順番を変え、まず第二隅部対５、次に第一隅部対３、の順で被包装物Ｔを包んだ場合を示したものである。実施形態の風呂敷Ｆでは、第一隅部対３と第二隅部対５において、ボタン（係止部）とボタン穴（被係止部）とを係合させた状態で上側に来る方の隅部３Ｂ，５Ｂが、隅部３Ｂは角を取って丸めた円弧状、もう一方の隅部５Ｂは略直角をなす形状と、互いに異なる外形形状に形成されている。そのため、図３に示す、第二隅部対５、次に第一隅部対３、の順で被包装物Ｔを包んだ場合では、包み上がり状態で、円弧状に形成された隅部３Ｂが最も外表面側に配置される。上述した図２，図４に示す、第一隅部対３、次に第二隅部対５、の順で被包装物ＴまたはＳＴを包んだ場合では、略直角形状に形成された隅部５Ｂが最も外表面側に配置される。
【００２１】
以上のように構成された風呂敷Ｆは、一方の対角線ＤＬ１上で対向する一対の隅部である第一隅部対３に、相互に係止可能な係止部と被係止部としてのボタン１１とボタン穴１５とを備え、また、他方の対角線ＤＬ２上で対向する一対の隅部である第二隅部対５にも、相互に係止可能な係止部と被係止部としてのボタン１１´とボタン穴１５´とを備えている。このため、第一隅部対３と第二隅部対５のどちらも結ばない包み方をする場合に、図２から図４に示すように、第一隅部対３と第二隅部対５の両方において、ボタン１１とボタン穴１５、ボタン１１´とボタン穴１５´と、をそれぞれ係合させることにより、隅部３Ａと３Ｂ、隅部５Ａと５Ｂとがそれぞれ相互に固定されてほどけることがなく、被包装物Ｔ，ＳＴが落ちる心配なしに、大切なお届け物をするのにふさわしい態様で、被包装物Ｔ，ＳＴを持ち運びすることができる。
【００２２】
なお、２つの隅部対３，５のどちらも結ばない包み方を考慮しないのであれば、相互に係止可能な係止部と被係止部とは、図５に示す風呂敷ＦＶのように、対角線上で対向する２対の隅部対のうちどちらか一方のみに配置するだけでもよい。風呂敷ＦＶでは、一方の対角線ＤＬ１上で対向する第一隅部対３が、相互に係止可能なボタン（係止部）１１とボタン穴（被係止部）１５とを備える一方、他方の対角線ＤＬ２上で対向する第二隅部対５Ｖは相互に係止可能な係止部と被係止部とを備えない。このような風呂敷ＦＶによっても、ボタン１１とボタン穴１５とを備えた第一隅部対３で先に被包装物ＳＴを包み、その隅部３Ａ，３Ｂ同士を結ばずにボタン１１とボタン穴１５とを係合させた後、他方の対角線上ＤＬ２上で対向する第二隅部対５Ｖの隅部５ＶＡと５ＶＢとを結んで被包装物ＳＴを包む場合、包み上がり状態で内側に位置する第一隅部対３側では、ボタン１１とボタン穴１５との係合により、隅部３Ａと３Ｂとが相互に固定されて持ち運び中にほどけるということがなく、被包装物ＳＴが落ちてしまう心配はない。
【００２３】
また、本実施形態では、第一隅部対３の隅部３Ｂにおいて、ボタン穴１５が対角線ＤＬ１に略沿って複数配置されているため、さまざまな大きさの被包装物に合わせてボタン１１との係止位置を調節することができる。また、第二隅部対５においても、隅部５Ｂにおいて、ボタン穴１５´が、対角線ＤＬ２に略沿って複数配置されているから、被包装物の大きさに合わせてボタン１１´との係止位置を調節することができる。実施形態では、ボタン穴１５とボタン穴１５´は、それぞれ対角線ＤＬ１／対角線ＤＬ２に略沿って３個配置した場合を示したが、ボタン穴（被係止部）の数はこれに限らず、４個以上配置してもよい。また、係止位置の調節が必要なければ、被係止部としてのボタン穴１５，１５´は、それぞれ１個ずつのみ配置することとしてもよい。
【００２４】
また、本実施形態では、第一隅部対３と第二隅部対５とにおける、ボタン（係止部）１１，１１´とボタン穴（被係止部）１５，１５´との係合状態で上側に来る方の隅部３Ｂと５Ｂとが、相互に外形形状を異ならせているため、図３に示すように、第一隅部対３と第二隅部対５との包む順番を変えれば、包み上がり状態の表情を変えることができて面白い。
【００２５】
本実施形態では、係止部としてボタン１１，１１´、被係止部としてボタン穴１５，１５´を使用したものを示したが、相互に係止可能な係止部と被係止部としては、他に、スナップボタンの雄部と雌部や、ホックの雄部と雌部等を使用してもよい。ただ、実施形態のように、係止部として突出部のない平板形状のボタンを使用し、被係止部としてボタン穴を使用すれば、包み上がり状態で外側から押されたような場合にも、突出部によって被包装物を傷つけたり、跡を残す心配が少ないので、この組み合わせが望ましい。また、隅部同士を結ぶ場合と異なり、ボタン１１とボタン穴１５を係合させるのであれば、片手がふさがっているような場合でも、もう一方の手だけで容易に行うことができる。
【００２６】
また、本実施形態では、相互に係止可能な係止部と被係止部のうち、被係止部としてのボタン穴１５，１５´を複数配置させた場合を示したが、被係止部を１個とし、係止部としてのボタン１１，１１´の方を複数配置させることとしてもよい。また、係止部と被係止部の両方を複数配置させることとしてもよい。
【符号の説明】
【００２７】
３  ・・・  第一隅部対
３Ａ，３Ｂ  ・・・  隅部
５  ・・・  第二隅部対
５Ａ，５Ｂ  ・・・  隅部
１１，１１´  ・・・  ボタン（係止部）
１５，１５´  ・・・  ボタン穴（被係止部）
ＤＬ１，ＤＬ２  ・・・  対角線
Ｆ，ＦＶ  ・・・  風呂敷
【図１】
0003204487.tif 000003
【図２】
0003204487.tif 000004
【図３】
0003204487.tif 000005
【図４】
0003204487.tif 000006
【図５】
0003204487.tif 000007